(57)【要約】【課題】養殖貝の貝殻の外面に付着したザラボヤを、貝殻同士の摩擦によって剥ぎ落とすことなく海中で自然剥離させることができるので、ザラボヤが付着した養殖貝の貝殻の外面を傷つけることなく、洗浄効果を高める。【解決手段】海上から引き上げられた養殖網の幹縄に取り付けられ海中に吊り下げられている枝縄５２に取り付けられた各帆立貝Ｅ、Ｅ、Ｅ、・・・の貝殻の外面に付着している各ザラボヤＡＺ、ＡＺ、ＡＺ、・・・に向けて、昇華性又は水溶性の固体粒３を噴射ノズル４から噴射して、その衝突エネルギで各ザラボヤＡＺ、ＡＺ、ＡＺ、・・・の皮Ｓを撃ち破ることにより体液ＢＦを皮Ｓ内から流出させ、再度、枝縄５２を海中に戻して各帆立貝Ｅ、Ｅ、Ｅ、・・・の養殖を継続することで、各ザラボヤＡＺ、ＡＺ、ＡＺ、・・・を貝殻の外面から自然剥離させる。【選択図】図１
2011160719.tif 000002
【特許請求の範囲】
【請求項１】
海中に張られた幹縄と、前記幹縄に取り付けられ海中に吊り下げられている枝縄とから成り、前記枝縄に複数の養殖貝が取り付けられて当該各養殖貝を養殖する養殖網を海上に引き上げて、前記各養殖貝の貝殻の外面に付着した複数のザラボヤを除去する養殖貝のザラボヤ除去方法であって、
前記海上から引き上げられた前記枝縄に取り付けられている前記各養殖貝の前記貝殻の前記外面に付着している前記各ザラボヤに向けて、昇華性又は水溶性の固体粒を噴射ノズルから噴射して、その衝突エネルギで前記各ザラボヤの皮を撃ち破ることにより体液を前記皮内から流出させ、再度、前記枝縄を前記海中に戻して前記各養殖貝の前記養殖を継続することで、前記各ザラボヤを前記貝殻の前記外面から自然剥離させることを特徴とする養殖貝のザラボヤ除去方法。
【請求項２】
前記幹縄から前記枝縄を取り外して、船の舷側に沿って設けられているベルトコンベアに載置して一定の速度で移動させている状態で、前記一定の速度で移動する枝縄に取り付けられた前記各養殖貝の前記貝殻の前記外面に付着している前記各ザラボヤに向けて、前記噴射ノズルから前記固体粒を噴射することを特徴とする請求項１記載の養殖貝のザラボヤ除去方法。
【請求項３】
前記噴射ノズルは、前記固体粒の噴出形状が扁平パターンになることを特徴とする請求項２記載の養殖貝のザラボヤ除去方法。
【請求項４】
前記昇華性の固体粒はドライアイスで、前記水溶性の固体粒は重曹であることを特徴とする請求項１乃至請求項３のうち何れか１項に記載の養殖貝のザラボヤ除去方法。
【請求項５】
前記固体粒の粒径は、０．２〜０．３ｍｍであることを特徴とする請求項１乃至請求項４のうち何れか１項に記載の養殖貝のザラボヤ除去方法。
【請求項６】
海中に張られた幹縄と、前記幹縄に取り付けられ海中に吊り下げられている枝縄とから成り、前記枝縄に複数の養殖貝が取り付けられて当該各養殖貝を養殖する養殖網を海上に引き上げて、前記各養殖貝の貝殻の外面に付着した複数のザラボヤを除去する養殖貝のザラボヤ除去装置であって、
船の舷側に沿って設けられ、前記幹縄から前記枝縄を取り外してから載置して一定の速度で移動させるベルトコンベアと、
前記海上から引き上げられた前記枝縄に取り付けられている前記各養殖貝の前記貝殻の前記外面に付着している前記各ザラボヤに向けて、昇華性又は水溶性の固体粒を噴射する噴射ノズルとを備え、
前記噴射ノズルは、
ノズルボディの後端部に１つ設けられ、前記固体粒が流入する固体粒導入口と、
前記ノズルボディの先端部に一直線上で複数設けられ、前記固体粒の噴出形状が扁平パターンになる矩形状に形成された固体粒噴射口と、
前記１つの前記固体粒導入口から放射状に分かれて前記複数の固体粒噴射口へと連通する前記固体粒噴射口と同数の流路とを備え、
前記複数の流路は、前記１つの前記固体粒導入口から流入して前記複数の固体粒噴射口へと流動する前記固体粒の流量が均一になるように形成されていることを特徴とする養殖貝のザラボヤ除去装置。
【請求項７】
前記複数の流路は、前記固体粒導入口の軸線から放射する角度が大きい流路ほど上流側の流路内体積が大きく形成されていることを特徴とする請求項６記載の養殖貝のザラボヤ除去装置。
【請求項８】
前記噴射ノズルの前記ノズルボディの先端部は、前記１つの前記固体粒導入口から流入して前記複数の流路を流動する前記固体粒が前記複数の固体粒噴射口に到達するまでの時間が、均一になるように形成されていることを特徴とする請求項６又は請求項７記載の養殖貝のザラボヤ除去装置。
【請求項９】
前記ベルトコンベアは、前記枝縄に取り付けられている前記各養殖貝を引っ掛けるためのピンが無端ベルトの表面に突設され、前記無端ベルトは金網で形成されていることを特徴とする請求項６乃至請求項８のうち何れか１項に記載の養殖貝のザラボヤ除去装置。
【発明の詳細な説明】
【技術分野】
【０００１】
本発明は、帆立貝の垂下式養殖である耳吊り養殖において、海中に張られた養殖網に固縛されている養殖貝の貝殻の外面に付着したザラボヤを除去する養殖貝のザラボヤ除去方法及びその装置に関する。
【背景技術】
【０００２】
従来から、帆立貝を養殖するために図４に示すような垂下式養殖法が知られている。この垂下式養殖法は幹縄５１及び枝縄５２から成る養殖網５０の枝縄５２に帆立貝Ｅの稚貝ＹＳの貝殻を取り付けて垂下する耳吊り養殖で、海面ＳＬに浮遊させる複数の浮き球６０間に張った幹縄５１に対して稚貝ＹＳが付けられた枝縄５２が一定間隔で暖簾状に吊り下げられている。枝縄５２に稚貝ＹＳを付けるには図５に示すように、枝縄５２に複数の稚貝ＹＳを耳吊り状態に取り付けるための貝係止具７０が用いられている。
【０００３】
貝係止具７０は一般的にはプラスチック材料から成り、棒状の幹棒７１と、幹棒７１の略中央部に形成され枝縄５２に係止するための一対の滑り止め突起部７２ａ、７２ｂと、幹棒７１の両端部に形成され稚貝ＹＳを当該幹棒７１に係止する逆鉤状から成る貝係止突起部７３ａ、７３ｂとから構成されている。一対の滑り止め突起部７２ａ、７２ｂはそれぞれ幹棒７１の中央部に向かって徐々に拡がるように形成され、幹棒７１の両端部は枝縄５２に差し込み易いようにテーパ状に形成されている。
【０００４】
このように構成された貝係止具７０を枝縄５２に取り付けるために、例えば貝係止具７０の長手方向の一端である貝係止突起部７３ａを差し込んでいく。このとき、一方の滑り止め突起部７２ａは枝縄５２により幹棒７１側に傾くが、当該一方の滑り止め突起部７２ａは枝縄５２が通過すると自己の弾性力により元の状態に戻るので、枝縄５２を幹棒７１の一対の滑り止め突起部７２ａ、７２ｂ間に位置させることができる。したがって、枝縄５２は起立している一対の滑り止め突起部７２ａ、７２ｂで幹棒７１から外れないように係止されることになるので、枝縄５２に貝係止具７０を係止させることができる。この枝縄５２に係止された貝係止具７０の各貝係止突起部７３ａ、７３ｂに稚貝ＹＳを付けるために、当該稚貝ＹＳの貝殻の靭帯が位置する耳部には孔Ｏが開けられている。その孔Ｏに貝係止具７０の例えば一方の貝係止突起部７３ａを差し込んでいく。このとき、一方の貝係止突起部７３ａは貝殻により幹棒７１方向に傾くが、当該一方の貝係止突起部７３ａは貝殻が通過すると自己の弾性力により元の状態に戻るので、稚貝ＹＳが抜け落ちないようにすることができる。
【０００５】
このような帆立貝の耳吊り養殖において、近年、養殖期間中に帆立貝の貝殻の外面にホヤの一種であるザラボヤが大量に付着するという問題が発生している。ザラボヤは、６〜８月、９〜１０月の年２回にラーバという浮遊幼生が発生して漂いながら付着場所を探し、付着場所である帆立貝の貝殻の外面に付着後、約半年で体長が４〜１２ｃｍくらいまで成長する。また、全体重の５０〜６０％以上が水分である。
【０００６】
このザラボヤが帆立貝に大量付着すると、その重みで養殖網が沈んで帆立貝が海底についてヒトデに食べられてしまうことがあるので、浮き球を増やさなければならない。また、水揚げ途中にその重みで貝係止具７０が壊れて帆立貝が雪崩のように大量脱落することがあるので、水揚げの減少を招くことになる。さらに、ザラボヤの餌は帆立貝と同じプランクトンなので、帆立貝の成長が阻害され貝が小振りになる虞がある。
【０００７】
このような漁業被害を招くザラボヤを除去するために、ホタテ洗浄装置や養殖ホタテ貝の洗浄装置を利用することが考えられる（例えば、特許文献１、特許文献２参照。）。
【０００８】
特許文献１に開示されたホタテ洗浄装置は、幹縄に結び付けて海中に吊り下げた枝縄を船上に引き上げ、幹縄からミミヅリカッターでしごき落とした帆立貝を洗浄して選別するもので、投入口から回転する円筒状のドラムに投入された帆立貝は、海水噴射管から噴射される海水で洗浄され且つ螺旋状案内板で攪拌されるので、帆立貝同士の揉み合いによる貝殻の摩擦により当該貝殻に付着した付着生物をドラムの壁面に設けられた穴から篩い落とすと共に、排出口から帆立貝を排出することができる。
【０００９】
また、特許文献２に開示された養殖ホタテ貝の洗浄装置は、特許文献１に開示されたホタテ洗浄装置を、さらに、円筒状のドラムと螺旋状案内板とを別々に駆動させると共に、ドラムが螺旋状案内板より速い回転速度で回転するように駆動させることで、特許文献１に開示されたホタテ洗浄装置では剥離できなかった付着生物を剥離させることが可能になる。
【先行技術文献】
【特許文献】
【００１０】
【特許文献１】特開２００１−１６１２１７号公報
【特許文献２】特開２００４−３２９０８３号公報
【発明の概要】
【発明が解決しようとする課題】
【００１１】
しかしながら、背景技術に記載したホタテ洗浄装置及び養殖ホタテ貝の洗浄装置では、貝殻の外面に付着したザラボヤを貝殻同士の摩擦によって剥ぎ落としているので、完全には除去できずに洗浄効果が低くなったり、貝殻の外面を傷つけたりする虞がある。
【００１２】
本発明は、このような従来の難点を解消するためになされたもので、ザラボヤが付着した養殖貝の貝殻の外面を傷つけることなく洗浄効果を高めることができる養殖貝のザラボヤ除去方法及びその装置を提供することを目的とする。
【課題を解決するための手段】
【００１３】
上述の目的を達成する本発明の第１の態様である養殖貝のザラボヤ除去方法は、海中に張られた幹縄と、幹縄に取り付けられ海中に吊り下げられている枝縄とから成り、枝縄に複数の養殖貝が取り付けられて当該各養殖貝を養殖する養殖網を海上に引き上げて、各養殖貝の貝殻の外面に付着した複数のザラボヤを除去する養殖貝のザラボヤ除去方法であって、海上から引き上げられた枝縄に取り付けられている各養殖貝の貝殻の外面に付着している各ザラボヤに向けて、昇華性又は水溶性の固体粒を噴射ノズルから噴射して、その衝突エネルギで各ザラボヤの皮を撃ち破ることにより体液を皮内から流出させ、再度、枝縄を海中に戻して各養殖貝の養殖を継続することで、各ザラボヤを貝殻の外面から自然剥離させるものである。
【００１４】
このような第１の態様である養殖貝のザラボヤ除去方法によれば、海中に吊り下げられている枝縄を海上に引き上げて、枝縄に取り付けられた複数の養殖貝に向けて昇華性又は水溶性の固体粒を噴射ノズルから噴射して、その衝突エネルギで各ザラボヤの皮を撃ち破ることにより体液を皮内から流出させると、ザラボヤは数日で死ぬので、その体液が流出したザラボヤを貝殻の外面に付着させたまま、再度、枝縄を海中に戻して各養殖貝の養殖を継続すると、ザラボヤは付着力を失っていくので、貝殻の外面から自然剥離させることができる。
【００１５】
本発明の第２の態様は第１の態様である養殖貝のザラボヤ除去方法において、幹縄から枝縄を取り外して、船の舷側に沿って設けられているベルトコンベアに載置して一定の速度で移動させている状態で、一定の速度で移動する枝縄に取り付けられた各養殖貝の貝殻の外面に付着している各ザラボヤに向けて、噴射ノズルから固体粒を噴射するものである。このような第２の態様である養殖貝のザラボヤ除去方法によれば、枝縄をベルトコンベアに載置して一定の速度で移動させているので、噴射ノズルの噴射方向を固定させることが可能になる。
【００１６】
本発明の第３の態様は第２の態様である養殖貝のザラボヤ除去方法において、噴射ノズルは、固体粒の噴出形状が扁平パターンになるものである。このような第３の態様である養殖貝のザラボヤ除去方法によれば、噴射ノズルの噴射方向を固定させても広範囲に固体粒を噴出させることができるので、多くのザラボヤの皮に短時間で穴を開けることができると共に、養殖貝の洗浄効果を高めることができる。
【００１７】
本発明の第４の態様は第１の態様乃至第３の態様のうち何れか１つの態様である養殖貝のザラボヤ除去方法において、昇華性の固体粒はドライアイスで、水溶性の固体粒は重曹である。このような第４の態様である養殖貝のザラボヤ除去方法によれば、ドライアイスは常温で昇華作用により気化し、また、ナトリウムイオンと炭酸水素イオンの塩である重曹は液体により溶解するので、何れも海水を汚すような環境破壊を防ぐことができる。
【００１８】
本発明の第５の態様は第１の態様乃至第４の態様のうち何れか１つの態様である養殖貝のザラボヤ除去方法において、固体粒の粒径は、０．２〜０．３ｍｍである。このような第５の態様である養殖貝のザラボヤ除去方法によれば、ザラボヤの皮を打ち破り易く、而も皮内から体液が容易に漏れ出るようにすることができる。
【００１９】
また、本発明の第６の態様である養殖貝のザラボヤ除去装置は、海中に張られた幹縄と、幹縄に取り付けられ海中に吊り下げられている枝縄とから成り、枝縄に複数の養殖貝が取り付けられて当該各養殖貝を養殖する養殖網を海上に引き上げて、各養殖貝の貝殻の外面に付着した複数のザラボヤを除去する養殖貝のザラボヤ除去装置であって、船の舷側に沿って設けられ、幹縄から枝縄を取り外してから載置して一定の速度で移動させるベルトコンベアと、海上から引き上げられた枝縄に取り付けられている各養殖貝の貝殻の外面に付着している各ザラボヤに向けて、昇華性又は水溶性の固体粒を噴射する噴射ノズルとを備え、噴射ノズルは、ノズルボディの後端部に１つ設けられ、固体粒が流入する固体粒導入口と、ノズルボディの先端部に一直線上で複数設けられ、固体粒の噴出形状が扁平パターンになる矩形状に形成された固体粒噴射口と、１つの固体粒導入口から放射状に分かれて複数の固体粒噴射口へと連通する固体粒噴射口と同数の流路とを備え、複数の流路は、１つの固体粒導入口から流入して複数の固体粒噴射口へと流動する固体粒の流量が均一になるように形成されているものである。なお、本明細書において「均一」とはある程度の誤差を含むことを称する。即ち、ここで言う誤差は、各固体粒噴射口から噴射した固体粒が、各ザラボヤの皮を撃ち破る数をほぼ均等にできる誤差である。
【００２０】
このような第６の態様である養殖貝のザラボヤ除去装置によれば、海中に吊り下げられている枝縄を海上に引き上げて、枝縄に取り付けられた複数の養殖貝に向けて昇華性又は水溶性の固体粒を噴射ノズルから噴射して、その衝突エネルギで各ザラボヤの皮を撃ち破ることにより体液を皮内から流出させると、ザラボヤは数日で死ぬので、その体液が流出したザラボヤを貝殻の外面に付着させたまま、再度、枝縄を海中に戻して各養殖貝の養殖を継続すると、ザラボヤは付着力を失っていくので、貝殻の外面から自然剥離させることができる。また、噴射ノズルが、複数の固体粒噴射口へと流動する固体粒の流量を均一にして当該固体粒噴射口から噴射することができるので、噴射ノズルの噴射方向を固定させても広範囲に固体粒を噴出させることができる。
【００２１】
本発明の第７の態様は第６の態様である養殖貝のザラボヤ除去装置において、複数の流路は、固体粒導入口の軸線から放射する角度が大きい流路ほど上流側の流路内体積が大きく形成されているものである。
【００２２】
このような第７の態様である養殖貝のザラボヤ除去装置によれば、１つの固体粒導入口から流入する固体粒の流入速度を複数の流路で均一化させることが可能になる。
【００２３】
本発明の第８の態様は第６の態様又は第７の態様である養殖貝のザラボヤ除去装置において、噴射ノズルのノズルボディの先端部は、１つの固体粒導入口から流入して複数の流路を流動する固体粒が複数の固体粒噴射口に到達するまでの時間が、均一になるように形成されているものである。
【００２４】
このような第８の態様である養殖貝のザラボヤ除去装置によれば、複数の固体粒噴射口へと流動する固体粒の流量を均一化させると共に、１つの固体粒導入口から流入する固体粒の流入速度を複数の流路で均一化させ、而も１つの固体粒導入口から流入して複数の流路を流動する固体粒が複数の固体粒噴射口に到達するまでの時間を均一化させていることから、複数の固体粒噴射口から噴射する固体粒の噴射量及び噴射速度を均一にすることが可能になるので、枝縄に取り付けられた複数の養殖貝の貝殻の外面に付着したザラボヤの皮に対して均一に穴を開けることができるようになる。
【００２５】
本発明の第９の態様は第６の態様乃至第８の態様のうち何れか１つの態様である養殖貝のザラボヤ除去装置において、ベルトコンベアは、枝縄に取り付けられている各養殖貝を引っ掛けるためのピンが無端ベルトの表面に突設され、無端ベルトは金網で形成されているものである。なお、本明細書において「突設」とは突き出した状態に設けることを意味する。
【００２６】
このような第９の態様である養殖貝のザラボヤ除去装置によれば、ベルトコンベアの無端ベルトで枝縄に取り付けられている各養殖貝を移動させる際、各養殖貝をピンや金網で引っ掛けることが可能になるので、水揚げ途中に養殖貝が脱落することを防ぐができる。
【発明の効果】
【００２７】
本発明の養殖貝のザラボヤ除去方法及びその装置によれば、養殖貝の貝殻の外面に付着したザラボヤを、貝殻同士の摩擦によって剥ぎ落とすことなく海中で自然剥離させることができるので、ザラボヤが付着した養殖貝の貝殻の外面を傷つけることなく洗浄効果を高めることができる。
【図面の簡単な説明】
【００２８】
【図１】本発明の養殖貝のザラボヤ除去方法及びその装置における好ましい実施の形態例を示す図で、（Ａ）はザラボヤ除去装置の平面図、（Ｂ）はザラボヤ除去方法の説明図である。
【図２】図１（Ａ）のザラボヤ除去装置を矢印Ａの方向から見た側面図である。
【図３】図１（Ａ）のザラボヤ除去装置に使用される噴射ノズルの好ましい実施の形態例を示す図で、（Ａ）はノズルボディの平面図、（Ｂ）はノズルボディの後端部側の側面図、（Ｃ）はノズルボディの先端部側の側面図である。
【図４】帆立貝の耳吊り養殖を示す説明図である。
【図５】帆立貝の耳吊り養殖に使用される貝係止具を示す図で、（Ａ）は側面図、（Ｂ）は枝縄に係止させた図である。
【発明を実施するための形態】
【００２９】
以下、本発明の養殖貝のザラボヤ除去方法及びその装置を実施するための形態例について図面を参照して説明する。なお、ザラボヤを除去するための養殖貝は帆立貝で、背景技術で説明した図３、図４に示すような耳吊り養殖法で養殖されているものとする。したがって、耳吊り養殖法については説明を省略する。また、本明細書の全体を通じて同一要素には同一参照番号を付す。
【００３０】
本発明の養殖貝のザラボヤ除去方法を実施するための除去装置は図１（Ａ）、図２に示すように、船２の舷側２１に沿って設置され養殖網５０の枝縄５２を載置して海上で一定の速度で移動させるベルトコンベア１と、ベルトコンベア１のコンベア本体１１に固定され昇華性又は水溶性の固体粒３（図１（Ｂ）参照。）を噴射する噴射ノズル４とを備えている。また、船２の舷側２１には、ベルトコンベア１とは別にテボヨケというローラ５が複数設置され、これらローラ５で幹網５１を引きあげる。なお、図２において、符号ＳＬは海面を示し、符号Ｈは船２の舷側２１の海面ＳＬに対する高さ位置を示している。
【００３１】
ベルトコンベア１は、コンベア本体１１の始端部１１ａに従動ローラ１２及び終端部１１ｂに駆動ローラ１３が設けられ、この駆動ローラ１３及び従動ローラ１２間に無端ベルト１４が巻き掛けられている。コンベア本体１１の終端部１１ｂ側には、駆動ローラ１３を駆動するためのモータＭが固定され、例えば鎖伝動装置（図示せず。）によってモータＭからの駆動力を駆動ローラ１３に伝達させる。コンベア本体１１の始端部１１ａ側には、複数の帆立貝Ｅ、Ｅ、Ｅ、・・・が取り付けられている枝縄５２を無端ベルト１４上に導くための導入板１５が、コンベア本体１１の左右両側に固定されている。また、コンベア本体１１の終端部１１ｂ側には、複数の帆立貝Ｅ、Ｅ、Ｅ、・・・が取り付けられている枝縄５２を海中に戻す際の衝撃を和らげるための傾斜スロープ６が連結されている。
【００３２】
傾斜スロープ６及びベルトコンベア１は図２に示すように、海面ＳＬに対してそれぞれ傾斜するように配置され、枝縄５２を複数の帆立貝Ｅ、Ｅ、Ｅ、・・・と共に海中から海上に向かってベルトコンベア１によって徐々に引き上げ、傾斜スロープ６によって海上から海中に徐々に戻していくことができるようになっている。したがって、ベルトコンベア１の頂点部は舷側２１の高さ位置Ｈとほぼ同様の高さ位置で、ベルトコンベア１の始端部１１ａは海面ＳＬから海中に亘って位置し、傾斜スロープ６の終端部６ａは海面ＳＬから海中に亘って位置している。
【００３３】
なお、無端ベルト１４は図１（Ａ）に示すように、枝縄５２に取り付けられている帆立貝Ｅを引っ掛け易いように、枝縄５２に取り付けてある各帆立貝Ｅ、Ｅ、Ｅ、・・・を引っ掛けるためのピン７が表面に複数突設されると共に金網が使用されている。したがって、ベルトコンベア１の無端ベルト１４で枝縄５２に取り付けられている各帆立貝Ｅ、Ｅ、Ｅ、・・・を移動させる際、各帆立貝Ｅ、Ｅ、Ｅ、・・・をピン７や金網で引っ掛けることが可能になるので、水揚げ途中に帆立貝が脱落することを防ぐができる。このピン７は、無端ベルト１４のベルト両端部やベルト中央部の全周に亘って突設させる。また、従動ローラ１２及び駆動ローラ１３とは鎖伝動装置（図示せず。）によって係合され回転するようになっている。
【００３４】
噴射ノズル４は図２に示すように、噴射ノズル４に固体粒３を供給する従来周知の加圧式のブラスト装置７が供給ホースＳＨによって連結され、ブラスト装置７には圧縮空気を生成するコンプレッサ８がエアホースＡＨによって連結されている。ブラスト装置７は、固体粒３を蓄積するためのタンクを有し、このタンク内の固体粒３はコンプレッサ８から供給される圧縮空気により供給ホースＳＨ中を流れる気流により噴射ノズル４まで圧送される。このような噴射ノズル４は、固体粒３の噴出形状が扁平パターンになるように形成されている。
【００３５】
このように構成されたザラボヤ除去装置で帆立貝Ｅのザラボヤを除去するには、まず、海中に配置された養殖網５０を引き上げるために、船２の舷側２１に複数設置されたローラ５を使用して養殖網５０の幹縄５１を引き上げる。この海上から引き上げられた幹縄５１から枝縄５２を取り外して、船２の舷側２１に沿って設けられているベルトコンベア１の無端ベルト１４上に載置させる。なお、枝縄５２は一般的には幹縄５１に作業者の手で結び付けて取り付けてあるので、幹縄５１から枝縄５２を取り外すには枝縄５２を作業者の手で幹縄５１から解くことになる。
【００３６】
駆動部によって回転している無端ベルト１４上に載置された複数の帆立貝Ｅ、Ｅ、Ｅ、・・・が取り付けられた枝縄５２は、ベルトコンベア１の始端部１１ａから終端部１１ｂに向かって一定速度で移動する。そして、図１（Ｂ）に示すように、この一定速度でベルトコンベア１上を移動する枝縄５２に取り付けられている各帆立貝Ｅ、Ｅ、Ｅ、・・・の貝殻の外面に付着している各ザラボヤＡＺ、ＡＺ、ＡＺ、・・・に向けて、固体粒３を噴射ノズル４から噴射して、その衝突エネルギで各ザラボヤＡＺ、ＡＺ、ＡＺ、・・・の皮Ｓを撃ち破ることにより体液ＢＦを皮Ｓ内から流出させる。ベルトコンベア１の終端部１１ｂまで枝縄５２の全長が移動したら、その枝縄５２を、再度、幹縄５１に取り付けて船２の舷側２１に複数設置されたローラ５を使用して、その養殖網５０を海中に戻して各帆立貝Ｅ、Ｅ、Ｅ、・・・の養殖を継続する。このように、枝縄５２に取り付けられた複数の帆立貝Ｅ、Ｅ、Ｅ、・・・に向けて固体粒３を噴射ノズル４から噴射して、その衝突エネルギで各ザラボヤＡＺ、ＡＺ、ＡＺ、・・・の皮Ｓを撃ち破ることにより体液ＢＦを皮Ｓ内から流出させると、ザラボヤＡＺは数日で死ぬので、その体液ＢＦが流出したザラボヤＡＺを貝殻の外面に付着させたまま、再度、枝縄５２を海中に戻して各帆立貝Ｅ、Ｅ、Ｅ、・・・の養殖を継続すると、ザラボヤＡＺは付着力を失っていくので、貝殻の外面から自然剥離させることができる。
【００３７】
また、幹縄５１から枝縄５２を取り外して、船２の舷側２１に沿って設けられているベルトコンベア１に載置して一定の速度で移動させている状態で、一定の速度で移動する枝縄５２に取り付けられた各帆立貝Ｅ、Ｅ、Ｅ、・・・の貝殻の外面に付着している各ザラボヤＡＺ、ＡＺ、ＡＺ、・・・に向けて、噴射ノズル４から固体粒３を噴射しているので、噴射ノズル４の噴射方向を固定させることが可能になる。
【００３８】
なお、噴射ノズル４は、固体粒３の噴出形状が扁平パターンになるように形成させるとよい。噴射ノズル４をこのように形成することで、噴射ノズル４の噴射方向を固定させても広範囲に固体粒３を噴出させることができるので、多くのザラボヤＡＺの皮Ｓに短時間で穴を開けることができると共に、帆立貝の洗浄効果を高めることができる。このような噴射ノズル４としては例えば図３（Ａ）、（Ｂ）、（Ｃ）に示すように、ノズルボディ４１の後端部に１つ設けられ、固体粒が流入する固体粒導入口４２と、ノズルボディ４１の先端部に一直線上で例えば４つ設けられ、固体粒の噴出形状が扁平パターンになる矩形状に形成された固体粒噴射口４３ａ、４３ｂ、４３ｃ、４３ｄと、１つの固体粒導入口４２から放射状に分かれて４つの固体粒噴射口４３ａ、４３ｂ、４３ｃ、４３ｄへと連通する固体粒噴射口と同数の流路４４ａ、４４ｂ、４４ｃ、４４ｄとを備え、４つの流路４４ａ、４４ｂ、４４ｃ、４４ｄは、１つの固体粒導入口４２から流入して４つの固体粒噴射口４３ａ、４３ｂ、４３ｃ、４３ｄへと流動する固体粒の流量が均一になるように形成されている。即ち、各流路４４ａ、４４ｂ、４４ｃ、４４ｄの流路抵抗を変化させることで、４つの固体粒噴射口４３ａ、４３ｂ、４３ｃ、４３ｄへと流動する固体粒の流量を均一化することができる。また、固体粒導入口４２は流体継手等の接続部材を介して供給ホースＳＨに接続される。なお、図３（Ａ）は、破断線によりノズルボディ４１の一部を取り除いて、４つの固体粒噴射口４３ａ、４３ｂ、４３ｃ、４３ｄ及び４つの流路４４ａ、４４ｂ、４４ｃ、４４ｄを実線で示してある。
【００３９】
このように構成された噴射ノズル４によれば、当該噴射ノズル４が、４つの固体粒噴射口４３ａ、４３ｂ、４３ｃ、４３ｄへと流動する固体粒の流量を均一にして当該４つの固体粒噴射口４３ａ、４３ｂ、４３ｃ、４３ｄから噴射することができるので、噴射ノズル４の噴射方向を固定させても広範囲に固体粒を噴出させることができる。したがって、多くのザラボヤの皮に短時間で穴を開けることができると共に、帆立貝の洗浄効果を高めることができる。
【００４０】
また、噴射ノズル４は、４つの流路４４ａ、４４ｂ、４４ｃ、４４ｄが、固体粒導入口４２の軸線Ｌ１から放射する角度が大きい流路ほど上流側の流路内体積が大きく形成されている。４つの流路４４ａ、４４ｂ、４４ｃ、４４ｄをこのように形成することにより、流路抵抗を均一化することができるので、１つの固体粒導入口４２から流入する固体粒の流入速度を４つの流路４４ａ、４４ｂ、４４ｃ、４４ｄで均一化することが可能になる。
【００４１】
さらに、噴射ノズル４のノズルボディ４１の先端部は、１つの固体粒導入口４２から流入して４つの流路４４ａ、４４ｂ、４４ｃ、４４ｄを流動する固体粒が４つの固体粒噴射口４３ａ、４３ｂ、４３ｃ、４３ｄに到達するまでの時間が、均一になるように形成されている。噴射ノズル４のノズルボディ４１の先端部をこのように形成することで、４つの固体粒噴射口４３ａ、４３ｂ、４３ｃ、４３ｄへと流動する固体粒の流量を均一化させると共に、１つの固体粒導入口４２から流入する固体粒の流入速度を複数の流路で均一化させ、而も１つの固体粒導入口４２から流入して４つの流路４４ａ、４４ｂ、４４ｃ、４４ｄを流動する固体粒が４つの固体粒噴射口４３ａ、４３ｂ、４３ｃ、４３ｄに到達するまでの時間を均一化させていることから、４つの固体粒噴射口４３ａ、４３ｂ、４３ｃ、４３ｄから噴射する固体粒の噴射量及び噴射速度を均一にすることが可能になるので、枝縄５２に取り付けられた複数の帆立貝Ｅ、Ｅ、Ｅ、・・・の貝殻の外面に付着したザラボヤの皮に対して均一に穴を開けることができるようになる。したがって、帆立貝の洗浄効果を高めることができる。
【００４２】
なお、噴射ノズルの固体粒噴射口及び流路の数は４つに限らず、噴射方向の範囲の大きさによって２つ以上で増減させることができ、その場合においても４つの場合と同様の作用、効果を得ることができる。
【００４３】
また、昇華性の固体粒はモース硬度が２．０のドライアイスで、水溶性の固体粒はモース硬度が２．５の重曹にするとよい。ドライアイスは常温で昇華作用により気化し、また、ナトリウムイオンと炭酸水素イオンの塩である重曹は液体により溶解するので、何れも海水を汚すような環境破壊を防ぐことができる。
【００４４】
また、固体粒３の粒径は、０．２〜０．３ｍｍにするとよい。固体粒３の粒径をこのような大きさにすることで、ザラボヤの皮を打ち破り易く、而も皮内から体液が容易に漏れ出るようにすることができる。例えば、この粒径のドライアイスや重曹の固体粒の場合、コンプレッサ８から供給される圧縮空気の空気圧を３〜４kgf/cm2に設定することで、ザラボヤの皮を打ち破り易くなる。
【００４５】
このような帆立貝のザラボヤ除去方法及びその装置によれば、帆立貝の貝殻の外面に付着したザラボヤを、貝殻同士の摩擦によって剥ぎ落とすことなく海中で自然剥離させることができるので、ザラボヤが付着した帆立貝の貝殻の外面を傷つけることなく、洗浄効果を高めることができ、さらには、浮き球を増やしたり、水揚げ途中にその重みで貝係止具が壊れて帆立貝が雪崩のように大量脱落したり、また、帆立貝の成長が阻害され貝が小振りになったりする漁業被害も防ぐことができる。
【００４６】
なお、本発明の養殖貝のザラボヤ除去方法及びその装置は、養殖貝は帆立貝に限らず、海中に張られた幹縄と、幹縄に固縛され海中に吊り下げられている枝縄とから成る養殖網で養殖される養殖貝ならばどのような貝でも適用させることができる。
【００４７】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【符号の説明】
【００４８】
１……ベルトコンベア
２……船
２１……舷側
３……昇華性又は水溶性の固体粒
４……噴射ノズル
４１……ノズルボディ
４２……固体粒導入口
４３ａ、４３ｂ、４３ｃ、４３ｄ……固体粒噴射口
４４ａ、４４ｂ、４４ｃ、４４ｄ……流路
７……ピン
５０……養殖網
５１……幹網
５２……枝網
Ｅ……帆立貝（養殖貝）
ＡＺ……ザラボヤ
Ｓ……皮
ＢＦ……体液
【図１】
2011160719.tif 000003
【図２】
2011160719.tif 000004
【図３】
2011160719.tif 000005
【図４】
2011160719.tif 000006
【図５】
2011160719.tif 000007